(57)【要約】  プロセスチャンバのスリットバルブにおいてマイクロ波の漏洩を低減させるための方法及び装置。スリットバルブの周りにマルチ周波数共振チョークを設けることにより、ある帯域の周波数からのエネルギーが、スリットバルブから逃げることを防止する。マルチ周波数共振チョークは、傾斜する底面又は鋸歯状の縁部を有する底面を有し、複数の周波数がチョーク内で共振することを可能にし、スリットバルブゲートによって形成された間隙において、ある範囲のマイクロ波の周波数を打ち消す。【選択図】図１
2021521598.tif 000002
【特許請求の範囲】
【請求項１】
プロセスチャンバからのマイクロ波の漏洩を低減させるための装置であって、
スリットバルブゲートを有するスリットバルブ、及び
前記スリットバルブと前記スリットバルブゲートとの間の間隙に対して垂直なスロットであって、ある範囲のマイクロ波の周波数が前記スロット内で共振するように、変化する表面を有する底部を有するスロットを備える、装置。
【請求項２】
前記変化する表面が、前記スロットの最高共振周波数の共振をもたらす最高点と前記スロットの最低共振周波数の共振をもたらす最低点を有する直線的な傾斜を有する、請求項１に記載の装置。
【請求項３】
前記変化する表面が、前記スロットの最高共振周波数の共振をもたらす最も高いピークと前記スロットの最低共振周波数の共振をもたらす谷を有する鋸歯状の縁部を有する、請求項１に記載の装置。
【請求項４】
前記鋸歯状の縁部は、前記スロットから分離して形成され、前記スロットの中に挿入される、請求項３に記載の装置。
【請求項５】
前記スロットの幅が、ゼロより大きく且つ前記スロットの最高共振周波数の波長未満である、請求項１に記載の装置。
【請求項６】
前記スロットが、前記スリットバルブ内に形成される、請求項１に記載の装置。
【請求項７】
前記スロットが、Ｌ形状を有し、前記Ｌ形状の中間点を通る前記スロットの全長が、前記スロット内で共振する周波数の波長の四分の一である、請求項６に記載の装置。
【請求項８】
前記スロットが、直線的であり、前記スリットバルブの部材の中に形成されている、請求項６に記載の装置。
【請求項９】
前記スロットが、直線的であり、前記スリットバルブの部材と前記スリットバルブの開口部の中に挿入される第２の要素との間の間隙によって形成される、請求項６に記載の装置。
【請求項１０】
前記スロットが、前記スリットバルブゲートに対する減圧シールの内側に形成されるか、又は前記スリットバルブゲートに対する減圧シールの後ろに形成されている、請求項１に記載の装置。
【請求項１１】
プロセスチャンバからのマイクロ波の漏洩を低減させるための装置であって、
内部空間内に基板支持体を有する前記プロセスチャンバ、
前記プロセスチャンバの壁内に配置されたスリットバルブであって、前記基板支持体上に基板を挿入し、前記基板支持体から前記基板を取り外すためのスリットバルブ開口部、及び前記プロセスチャンバを密封するためのスリットバルブゲートを有するスリットバルブ、並びに
前記スリットバルブ開口部を取り囲む前記スリットバルブ内の凹部キャビティであって、前記凹部キャビティの底部上に変化する表面を有する凹部キャビティを備える、装置。
【請求項１２】
前記凹部キャビティが、前記スリットバルブゲートの開口部に向かう前記スリットバルブゲート用の減圧ガスケットの内側に位置付けられている、請求項１１に記載の装置。
【請求項１３】
前記変化する表面が、前記凹部キャビティの最高共振周波数の共振をもたらす最も高いピークと前記凹部キャビティの最低共振周波数の共振をもたらす谷を有する鋸歯状の縁部を有する、請求項１１に記載の装置。
【請求項１４】
前記凹部キャビティが、ゼロより大きく且つ前記凹部キャビティの最高共振周波数の波長未満の幅を有する、請求項１１に記載の装置。
【請求項１５】
プロセスチャンバからのマイクロ波の漏洩を低減させるための装置であって、
内部空間内に基板支持体を有する前記プロセスチャンバ、
前記プロセスチャンバの壁上に配置されたスリットバルブであって、前記基板支持体上に基板を挿入し、前記基板支持体から前記基板を取り外すためのスリットバルブ開口部、及び前記プロセスチャンバを密封するためのスリットバルブゲートを有するスリットバルブ、
前記スリットバルブ開口部の中に挿入された環形状を有する第１の分離可能な要素であって、前記スリットバルブと篏合し、チョークキャビティの１つの壁を形成し、前記スリットバルブが、前記チョークキャビティのもう１つの壁及び前記チョークキャビティの底面を形成する、第１の分離可能な要素、並びに、
前記チョークキャビティの中に挿入された環形状を有する第２の分離可能な要素であって、底面が前記チョークキャビティの前記底面において前記スリットバルブと篏合し、前記チョークキャビティの変化する底面を提供する頂面上の鋸歯状の縁部を有する第２の分離可能な要素を備える、装置。
【発明の詳細な説明】
【技術分野】
【０００１】
[0001] 本原理の実施形態は、広くは、半導体プロセスチャンバに関する。
【背景技術】
【０００２】
[0002] マイクロ波は、例えば、アニール、洗浄、硬化、及びガス抜きのために半導体処理において使用される。マイクロ波はプロセスチャンバの外側で生成され、マイクロ波をチャンバの中に伝送するために導波管が使用される。チャンバは、処理されている間にウエハを保持するための基板支持体を有する。マイクロ波を使用して、単一のウエハ及び／又は複数のウエハをバッチで処理することができる。処理中にチャンバに入ったマイクロ波は、金属表面の間に間隙があるところであれば何処でもチャンバから外に伝播することになる。一部のチャンバは、チャンバにウエハを挿入し、チャンバからウエハを取り出すことを可能にするための、ドア又はバルブゲート付きのスリットバルブを有する。しばしば、バルブゲートによって、マイクロ波がチャンバから漏洩することがあり得る。チャンバ内に減圧を生成するためのシールを提供するバルブドア上の非金属ガスケットは、マイクロ波を透過する。金属ガスケットは、マイクロ波の漏洩を防止するために使用されてきたが、金属ガスケットは、故障し易く高レベルの保守を必要とする傾向がある。
【０００３】
[0003] したがって、本発明者らは、バルブゲートにおける半導体プロセスチャンバからのマイクロ波の漏洩を低減させる方法を開発した。
【発明の概要】
【０００４】
[0004] 方法及び装置は、半導体プロセスチャンバにおけるマイクロ波の漏洩を防止する。
【０００５】
[0005] 幾つかの実施形態では、プロセスチャンバからのマイクロ波の漏洩を低減させるための装置が、スリットバルブゲートを有するスリットバルブ、及び、スリットバルブとスリットバルブゲートとの間の間隙に垂直なスロットであって、ある範囲のマイクロ波の周波数がスロット内で共振するように、変化する表面を有する底部を有するスロットを備える。
【０００６】
[0006] 幾つかの実施形態では、該装置が、以下のことを更に含み得る。すなわち、変化する表面は、スロットの最高共振周波数の共振をもたらす最高点、及びスロットの最低共振周波数の共振をもたらす最低点を有する直線的な傾斜を有し、変化する表面は、スロットの最高共振周波数の共振をもたらす最も高いピーク、及びスロットの最低共振周波数の共振をもたらす谷を有する鋸歯状の縁部を有し、鋸歯状の縁部は、スロットから分離して形成され、スロットの中に挿入され、スロットの幅は、スロットの最高共振周波数の波長未満であり、スロットは、スリットバルブ内に形成され、スロットは、Ｌ形状を有し、Ｌ形状の中間点を通るスロットの全長は、スロット内で共振する周波数の波長の四分の一であり、スロットは、直線的であり、スリットバルブの部材（material）とスリットバルブの開口部の中に挿入された第２の要素との間の間隙によって形成され、第２の要素は、シートメタルから形成され、スロットは、スリットバルブゲート内に形成され、及び／又は、スロットは、スリットバルブゲート用の減圧シールの内側に形成されるか、若しくはスリットバルブゲート用の減圧シールの後ろに形成される。
【０００７】
[0007] 幾つかの実施形態では、処理チャンバからのマイクロ波の漏洩を低減させるための装置が、内部空間内に基板支持体を有するプロセスチャンバ、プロセスチャンバの壁内に配置されたスリットバルブであって、基板支持体上に基板を挿入し、基板支持体から基板を取り外すためのスリットバルブ開口部、及びプロセスチャンバを密封するためのスリットバルブゲートを有するスリットバルブ、並びに、スリットバルブ開口部を取り囲むスリットバルブ内の凹部キャビティであって、底部上に変化する表面を有する凹部キャビティを備える。
【０００８】
[0008] 幾つかの実施形態では、装置が、以下のことを更に含み得る。すなわち、凹部キャビティは、スリットバルブゲートの開口部に向かうスリットバルブゲート用の減圧ガスケットの内側に位置付けられ、変化する表面は、凹部キャビティの最高共振周波数の共振をもたらす最も高いピーク、及び凹部キャビティの最低共振周波数の共振をもたらす谷を有する鋸歯状の縁部を有し、鋸歯状の縁部のピークは、凹部キャビティの開口部表面から近似的に１１．２mmの深さであり、鋸歯状の縁部の谷は、凹部キャビティの開口部表面から近似的に１２．８mmの深さであり、鋸歯状の縁部は、凹部キャビティから分離して形成され、凹部キャビティの中に挿入され、及び／又は、凹部キャビティが、ゼロより大きく且つ凹部キャビティの最高共振周波数の波長未満の幅を有する。
【０００９】
[0009] 幾つかの実施形態では、プロセスチャンバからのマイクロ波の漏洩を低減させる装置が、内部空間内に基板支持体を有するプロセスチャンバ、プロセスチャンバの壁上に配置されたスリットバルブであって、基板支持体上に基板を挿入し、基板支持体から基板を取り外すためのスリットバルブ開口部、及びプロセスチャンバを密封するためのスリットバルブゲートを有するスリットバルブ、スリットバルブ開口部の中に挿入され且つスリットバルブと篏合する環形状を有する第１の分離可能な要素であって、チョークキャビティの１つの壁を形成し、スリットバルブが、チョークキャビティのもう１つの壁及びチョークキャビティの底面を形成する、第１の分離可能な要素、並びに、チョークキャビティの中に挿入された環形状を有する第２の分離可能な要素であって、底面がチョークキャビティの底面においてスリットバルブと篏合し、チョークキャビティの変化する底面を提供する頂面上の鋸歯状の縁部を有する第２の分離可能な要素を備える。
【００１０】
[0010] 幾つかの実施形態では、装置が、以下のことを更に含み得る。すなわち、鋸歯状の縁部のピークは、チョークキャビティの開口部表面から近似的に１１．２mmの深さであり、鋸歯状の縁部の谷が、チョークキャビティの開口部表面から１２．８mmの深さである。
【００１１】
[0011] 他の更なる実施形態が、以下で説明される。
【００１２】
[0012] 上記で簡潔に要約されており、且つ以下で詳述する本原理の実施形態は、付随する図面に示している本原理の例示的な実施形態を参照することにより理解され得る。しかし、本原理は他の等しく有効な実施形態を許容し得ることから、付随する図面は、本原理の典型的な実施形態のみを例示しており、故に、範囲を限定するものと見なすべきではない。
【図面の簡単な説明】
【００１３】
【図１】[0013] 本原理の幾つかの実施形態による、マイクロ波の漏洩を低減させるための装置が採用され得るか、又はマイクロ波の漏洩を低減させる方法が実行され得る、スリットバルブアセンブリを有するプロセスチャンバの図を描いている。
【図２】[0014] 本原理の幾つかの実施形態による、図１のスリットバルブアセンブリの拡大ビューの断面図を描いている。
【図３】[0015] 本原理の幾つかの実施形態による、傾斜を有するチョークの底部の断面図を描いている。
【図４】[0016] 本原理の幾つかの実施形態による、鋸歯状の縁部を有するチョークの底部の断面図を描いている。
【図５】[0017] 本原理の幾つかの実施形態による、スリットバルブ開口部の周りのチョークの前面図を描いている。
【図６】[0018] 本原理の幾つかの実施形態による、スリットバルブアセンブリの断面図を描いている。
【図７】[0019] 本原理の幾つかの実施形態による、図６のチョークを生成するための環状要素の断面図を描いている。
【図８】[0020] 本原理の幾つかの実施形態による、スリットバルブアセンブリ内に設置された図７の環状要素の断面図を描いている。
【図９】[0021] 本原理の幾つかの実施形態による、チョークキャビティ内に鋸歯状の縁部を生成するための環状要素を有するスリットバルブの一部分の等角切断図を描いている。
【図１０】[0022] 本原理の幾つかの実施形態による、図９の環状要素の一部分の等角図を描いている。
【発明を実施するための形態】
【００１４】
[0023] 理解を容易にするために、可能な場合には、図面に共通する同一の要素を指し示すのに同一の参照番号を使用した。図は縮尺どおりではなく、分かり易くするために簡略化されていることがある。一実施形態の要素及び特徴は、更なる記述がなくても、他の実施形態に有益に組み込まれ得ると想定されている。
【００１５】
[0024] 半導体チャンバからのマイクロ波の漏洩は、安全上及び製造上の問題を引き起こす可能性がある。スリットバルブからのマイクロ波の漏洩を防止するために使用される金属ガスケットは、特に異物が金属ガスケット内に詰まった場合、対合面と金属ガスケットとの間にアーク放電を引き起こすことが多い。更に、金属ガスケットと表面とが絶えず接触していると、摩耗及び発塵を引き起こし、ガスケットの性能及び基板処理における不具合に影響を及ぼす。本発明者らは、安全と製造の分野の両方において金属ガスケットを上回る非接触装置及び方法を見出した。該装置及び方法は、本原理によれば、有利なことに、表面に接触することなくマイクロ波の漏洩及び機能を確実に低減させ、保守及び摩耗を低減させ、粒子の生成を低減させ、金属ガスケットで生じるようなアーク放電を低減させることによって、作業者の安全性を高める。該装置及び方法は、更に有利なことに、マイクロ波を透過させる減圧シールなどの他のプロセスチャンバシールと併せて機能することもできる。幾つかの実施形態では、旧来の装備が、費用対効果に優れたやり方で変更されてよく、交換装備を購入する必要なしに安全性のアップグレードを可能にする。多くのプロセスチャンバの加熱サイクルは、加熱を均一に保つために、近似的に１００マイクロ秒ごとに周波数を切り替える。該装置及び方法は、単一のマイクロ周波数ではなく、ある帯域の動作周波数にわたりマイクロ波の漏洩を防止することもでき、有利なことに、はるかに大きな柔軟性及び費用対効果を可能にする。
【００１６】
[0025] マイクロ波は、間隙が存在するときに、マイクロ波が経路の端部で反射して戻ることをもたらす経路にマイクロ波が迂回されない限り、その間隙を通って漏洩することになる。反射したマイクロ波は、経路の距離が波長ラムダ（λ）を４で割ったもの（λ／４）である場合、入力マイクロ波を打ち消す。距離がλ／４である場合、マイクロ波は、行き（λ／４）及び帰り（λ／４）で移動することによって、λ／２の総距離を移動する。反射したマイクロ波が、１／２波長だけ離れた入射波に遭遇すると、マイクロ波は互いに打ち消し合う。λ／４に等しい経路は、四分の一波長共振チョークと呼ばれる。本発明者らは、金属ガスケットに代えて、ある帯域の周波数にわたり動作する共振チョークを半導体プロセスチャンバの中に組み込む、本原理に基づく技術を見出した。
【００１７】
[0026] 本発明者らは、本原理によれば、共振チョークがより安全であり、複数の周波数にわたってより効率的に働くことを見出した。帯域内の周波数の何れかにおいて損失を取り除くために、その帯域内の周波数、殊により長い波長を有する周波数について漏洩を低減させる必要がある。より長い波長は、より容易に逃げ、より遠くに伝播し、更に、物体のより深くに浸透し、より多くの害をもたらす。チョークの深さは、単一周波数について反射と打ち消しを制御する。本発明者らは、チョークが全帯域の周波数にわたり機能することを可能とするため、単一のチョークに変化する深さを設ける方法を見出した。幾つかの実施形態（例えば、図４、図９、及び図１０について説明される）では、鋸歯状の縁部を使用して、広い数の周波数にわたりチョークの深さを変化させる。本発明者らは、鋸歯状の縁部の数が多いほど、チョークの性能が高くなり、マイクロ波の漏洩が少なくなることを見出した。幾つかの実施形態では、鋸歯状の縁部が、チョークのスロット又は凹部の長さと垂直に延在している。幾つかの実施形態（例えば、図３について説明される）では、広い数の周波数にわたりチョークの深さを変化させるために傾斜が使用される。本発明者らは、チョークの幅が、チョークの性能に実質的に影響を及ぼすことなく、打ち消される周波数の波長よりも数桁小さい周波数の波長未満であってよいことを見出した。更に、本発明者らは、鋸歯状の縁部が、所与の量の空間に対して広い帯域の周波数にわたってより多くの周波数減衰を提供する（鋸歯状の縁部が、その帯域内の周波数に影響を及ぼし、傾斜よりも多くの鋸歯状の縁部を所与の量の空間内に配置することができる）ので、鋸歯状の縁部が傾斜よりも良好な漏洩制御を提供することを見出した。
【００１８】
[0027] 図１は、幾つかの実施形態による、マイクロ波の漏洩を低減させるための装置が採用され得るか、又はマイクロ波の漏洩を低減させる方法が実行され得る、スリットバルブアセンブリ１３０を有するプロセスチャンバ１００を描いている。図１では、スリットバルブアセンブリ１３０が、スリットバルブ本体１３２内のスリットバルブ開口部１２２、及びスリットバルブ開口部１２２を密封するスリットバルブゲート１２０を含んでよい。ガスケット１２４は、スリットバルブゲート１２０とスリットバルブ本体１３２との間に減圧密封（減圧シール）を提供することができる。ガスケット１２４は、減圧密封（減圧シール）を提供するが、ガスケット１２４は、マイクロ波を透過し、マイクロ波の漏洩を防止しない。スリットバルブアセンブリ１３０は、プロセスチャンバ１００の内部空間１１０内の基板支持体１０４上に基板１０８を挿入し、基板支持体１０４から基板１０８を取り外す方法を提供する。スリットバルブ開口部１２２は、プロセスチャンバ１００の壁１０２を貫通してプロセスチャンバ１００の内部空間１１０に対するアクセスを提供する。基板支持体１０４は、基板支持体１０４を支持し且つ電気接続及び／又は冷却液なども提供する、支持アセンブリ１０６を含む。幾つかの実施形態では、スリットバルブアセンブリ１３０が、任意選択的に、図２に関して更に詳細に説明される、スリットバルブ本体１３２内のＬ形状の共振チョーク１２８を含んでよい。幾つかの実施形態では、スリットバルブアセンブリ１３０が、任意選択的に、図２に関して更に詳細に説明される、スリットバルブゲート１２０内の直線的な共振チョーク１２６を含んでよい。
【００１９】
[0028] プロセスチャンバ１００は、中央処理装置（CPU）１１４、メモリ１１６、及び／又は支持回路１１８を含む、プロセスコントローラ１１２を含んでよい。プロセスコントローラ１１２は、スリットバルブアセンブリ１３０の制御を提供することができる。プロセスチャンバ１００は、単独で利用してもよく、又は、カリフォルニア州サンタクララのApplied Materials, Inc.から購入可能なENDURA（登録商標）という統合型半導体基板処理システムなどの、統合型半導体基板処理システム若しくはクラスタツールの処理モジュールとして利用してもよい。プロセスチャンバ１００は、乾性チャンバ、又はApplied Materials, Inc.から購入可能なCHARGER（商標）Under Bump Metallization (UBM) PVDチャンバなどのPVDチャンバであってもよい。他のプロセスチャンバ及び／又はクラスタツールも同様に適切に使用され得る。
【００２０】
[0029] ガスケット１２４は、マイクロ波を透過するので、マイクロ波の漏洩を防止するために、共振チョークが、スリットバルブアセンブリ１３０の中に導入される。図２は、幾つかの実施形態による、図１のスリットバルブアセンブリ１３０の拡大図２００を描いている。幾つかの実施形態では、Ｌ形状共振チョーク１２８が、ガスケット１２４の内側且つスリットバルブ開口部１２２の外側のスリットバルブ本体内に形成されている。複雑な機械加工を低減させるために、Ｌ形状共振チョーク１２８は、任意選択的に、スリットバルブ本体１３２内のスリットバルブ開口部１２２の周りの環状矩形スロットとして形成されてよい。その場合、より小さい環状矩形インサート２４２がＬ形状を形成する。Ｌ形状の共振チョーク１２８の中間点を通る、開口部２４６の表面２４４から底部２１６までの総距離は、線２０２によって表されている。線２０２は、それぞれ、点Ａ’において開口部２４６で開始し、点Ａにおいて底部２１６で終端する。線２０２は、Ｌ形状の共振チョーク１２８によって打ち消される周波数の波長の四分の一の全長を有する。Ｌ形状の共振チョーク１２８の幅２１０は、Ｌ形状の共振チョーク１２８の共振波長よりも数桁小さくてよい。
【００２１】
[0030] 幾つかの実施形態では、直線的な共振チョーク１２６が、スリットバルブゲート１２０内に形成される。幾つかの実施形態では、直線的な共振チョーク１２６が、図２で示されているように、ガスケット１２４の後ろに形成されてよい。スリットバルブゲート１２０の表面２４８から直線的な共振チョーク１２６の底部２１４までの、直線的な共振チョーク１２６の深さ２０８は、直線的な共振チョーク１２６によって打ち消される周波数の波長の四分の一である。直線的な共振チョーク１２６の幅２０６は、直線的な共振チョーク１２６の共振波長よりも数桁小さくてよい。ガスケット１２４は、直線的な共振チョーク１２６と干渉しない。というのも、ガスケット１２４は、マイクロ波を透過するからである。
【００２２】
[0031] 図３は、幾つかの実施形態による、傾斜３１４を有するチョーク３０２の底部３１６の断面図３００を描いている。チョーク３０２は、例えば、図２の直線的な共振チョーク１２６であってよく、及び／若しくは、図２のＬ形状の共振チョーク１２８であってよく、又は別のチョークであってよい。チョーク３０２の比率は、歪められ、チョーク３０２の底部３１６に関してより詳細に示されることを可能にしている。幾つかの実施形態では、チョーク３０２が、側壁表面３０６を有してよく、底部３１６が、直線的な傾斜３１４を有することとなる。傾斜３１４は、チョーク３０２の底部３１６上に、最小の深さ３１２から最大の深さ３１０まで変化する深さを生成する。底部３１６の傾斜３１４は、変化する底部により、チョーク３０２を種々の周波数で共振させる。最小深さ３１２は、チョーク３０２内で共振することとなる最高周波数（最高周波数＝１／（４×最小深さ））を決定づけ、最大深さ３１０は、チョーク３０２内で共振することとなる最低周波数（最低周波数＝１／（４×最大深さ））を決定づける。最高周波数と最低周波数との間の周波数も、チョーク３０２内で共振することとなる。傾斜３１４は、有利なことに、チョーク３０２が、単一の周波数ではなく、ある帯域の周波数にわたり動作することを可能にし、単一のチョークが複数の用途をカバーすることを可能にし、実質的に費用を削減し、柔軟性を高める。
【００２３】
[0032] 幾つかの実施形態では、チョーク３０２が、５．８５GHzから６．６９GHZまでの周波数で共振する。その場合、最小深さ３１２が１１．２mmで、最大深さ３１０が１２．８mmである。幾つかの実施形態では、深さ及びカバーされる周波数帯域を調整するために、傾斜３１４の角度３１８の調整が行われ得る。チョーク３０２の幅３０８は、チョーク３０２で動作する周波数帯域の波長よりも数桁小さくてよい。幾つかの実施形態では、幅３０８が近似的に１．０mmである。幾つかの実施形態では、幅３０８が、ゼロより大きく且つチョークの最高共振周波数の波長未満の範囲内であってよい。幾つかの実施形態では、幅３０８が、チョークの最高共振周波数の波長よりも数桁小さい。幾つかの実施形態では、チョーク３０２が、スリットバルブゲート１２０内の部材３０４内に、又はスリットバルブ本体１３２内の部材３０４内に配置されてよい（例えば、図２参照）。幾つかの実施形態では、底部３１６が、部材３０４の部分（部材３０４から機械加工されるか、又は部材３０４内に形成されるなど）であってよい。幾つかの実施形態では、底部３１６が、分離可能な要素であってよい。その要素は、先ず形成され、次いで、チョーク３０２を形成するキャビティ又は凹部の中に配置又は挿入される。底部３１６を分離可能な要素として形成することによって、機械加工及び製造の費用が、実質的に低減されてよく、時間と支出の両方の節約になる。
【００２４】
[0033] 図４は、幾つかの実施形態による、鋸歯状の縁部を有するチョークの底部４１８の断面図４００を描いている。チョーク４０２は、例えば、図２の直線的な共振チョーク１２６又は図２のＬ形状の共振チョーク１２８であってよい。チョーク４０２の比率は、歪められ、チョーク４０２の底部４１８に関してより詳細に示されることを可能にしている。幾つかの実施形態では、チョーク４０２が、側壁表面４０６を有してよく、底部４１８は鋸歯状の縁部４１６を有することとなる。鋸歯状の縁部４１６は、最小深さ４１２から最大深さ４１０までチョーク４０２の底部４１８上に変動する深さを生成する。底部４１８の鋸歯状の縁部４１６は、変動する底部により、チョーク４０２を種々の周波数で共振させる。最小深さ４１２は、チョーク４０２内で共振することとなる最高周波数（最高周波数=１／（４×最小深さ））を決定づけ、最大深さ４１０は、チョーク４０２内で共振することとなる最低周波数（最低周波数=１／（4×最大深さ））を決定づける。最高周波数と最低周波数との間の周波数も、チョーク４０２内で共振することとなる。
【００２５】
[0034] 幾つかの実施形態では、チョーク４０２が、５．８５GHzから６．６９GHzまでの周波数で共振する。その場合、最小深さ４１２は、１１．２mmであり、最大深さ４１０は、１２．８mmである（鋸歯状の縁部の高さは、１．６mmである）。鋸歯状の縁部４１６は、有利なことには、チョーク４０２が単一の周波数ではなく、ある帯域の周波数にわたり動作することを可能にし、単一のチョークが複数の用途をカバーすることを可能にし、実質的に費用を削減し、柔軟性を高める。カバーされる周波数帯域を調整するために、鋸歯状の縁部４１６の高さ４２０が調整されてよい。チョーク４０２の幅４０８は、チョーク４０２で動作する周波数帯域の波長よりも数桁小さくてよい。幾つかの実施形態では、幅４０８が、近似的に１．０mmである。幾つかの実施形態では、幅４０８が、ゼロより大きく且つチョークの最高共振周波数の波長未満の範囲内にあってよい。幾つかの実施形態では、幅４０８が、チョークの最高共振周波数の波長よりも数桁小さい。幾つかの実施形態では、チョーク４０２が、スリットバルブゲート１２０内の材料４０４内、又はスリットバルブ本体１３２内の材料４０４内に配置されてよい（例えば、図２参照）。幾つかの実施形態では、鋸歯状の縁部４１６が、部材４０４の部分であってよい（部材４０４から機械加工されるか、又は部材４０４内に形成されるなど）。幾つかの実施形態では、鋸歯状の縁部４１６が、分離可能な要素であってよい。その要素は、先ず形成され、次いで、チョーク４０２を形成するキャビティ又は凹部の中に配置又は挿入される。鋸歯状の縁部４１６を分離可能な要素として形成することによって、機械加工及び製造の費用が実質的に低減され、時間と支出の両方の節約になる。
【００２６】
[0035] 図５は、幾つかの実施形態による、スリットバルブ開口部５２２の周りのチョーク５０６の前面図５００を描いている。スリットバルブアセンブリ５３０は、スリットバルブ開口部５２２を有するスリットバルブ本体５０２、及びスリットバルブゲートアクチュエータ５０４を含んでよい。幾つかの実施形態では、チョーク５０６が、スリットバルブ開口部５２２の外側に位置付けられ、スリットバルブ開口部５２２を取り囲んでいる。図５のチョーク５０６は、適切な帯域の周波数で共振することができる寸法の、スリットバルブ本体５０２内のスロット、凹部、又はキャビティであってよい。幾つかの実施形態では、チョーク５０６が、直線的な共振チョーク及び／又はスリットバルブ本体５０２内のＬ形状の共振チョークであってよい。
【００２７】
[0036] 図６は、幾つかの実施形態による、スリットバルブアセンブリ６３０の断面図６００を描いている。スリットバルブアセンブリ６３０は、スリットバルブ開口部６２２を有するスリットバルブ本体６０２、及びスリットバルブゲート６２０を含む。チョーク６０６は、スリットバルブ開口部６２２の外側で、且つガスケット６２４の内側に位置付けられている。ガスケット６２４は、スリットバルブ本体６０２に対してスリットバルブゲート６２０を密封して、気密密封を可能にする（例えば、チャンバが減圧を維持することを可能にするなど）。ガスケット６２４は、マイクロ波を透過し、マイクロ波の漏洩を防止しない。スリットバルブゲート６２０は、スリットバルブゲートアクチュエータ（図５参照）によって上げ下げ（矢印６１０）されてよい。チョーク６０６は、単一のピースとして及び／又は複数のピースとして、スリットバルブ本体６０２の中に形成され及び／又は機械加工されてよい。複数のピースとは、例えば、図３及び図４で説明された変化する底部を生成するための個別のピースである。
【００２８】
[0037] 図７は、幾つかの実施形態による、図６のチョークを生成するための装置の断面図７００を描いている。スリットバルブ本体６０２は、スリットバルブ開口部６２２の周りに空間７０２を生成するために形成及び／又は機械加工される。空間７０２の外側表面７２０は、チョーク６０６の外壁を形成することとなる。環状要素７０４は、スタンピング及び／又は機械加工などによって形成される。環状要素７０４は、スリットバルブ本体６０２のスリットバルブ開口部６２２の内側寸法７１０と近似的に同様である内側寸法７０８を有する。環状要素７０４の外側表面７２２は、チョーク６０６の内壁を形成することとなる。環状要素７０４の厚さ７０６は、チョーク６０６の幅を調整するように変更されてよい。図８は、幾つかの実施形態による、スリットバルブアセンブリ６３０内に設置された、図７の環状要素７０４の断面図８００を描いている。環状要素７０４をスリットバルブ本体６０２の中に挿入すると、チョーク６０６が、環状要素７０４によって設けられた内壁と、スリットバルブ本体６０２によって設けられた外壁及び底部とによって形成される。幾つかの実施形態では、環状要素７０４も、チョーク６０６の変化する底部を提供する（チョークの変化する底部の異なる実施形態について図３及び図４を参照のこと）。幾つかの実施形態では、変化する底部が、別の環状要素であってよい（図９参照）。
【００２９】
[0038] 図９は、幾つかの実施形態による、チョークキャビティ９０６内に鋸歯状の縁部を生成するための環状要素９０３を有するスリットバルブ９０２の一部分の等角切断図９００を描いている。環状要素９０３は、凹部、キャビティ、又はスロットの中に挿入されて、ある帯域の周波数にわたる共振チョークを生成する、変化する底部を形成する。幾つかの実施形態では、環状要素９０３が、鋸歯状の縁部を備える。環状要素９０３の一部分９０４が、図１０の等角図１０００で描かれている。一部分９０４は、ピーク１００２及び谷１００４を有する鋸歯状の縁部を示している。ピーク１００２の高さ１００８及び／又はピーク間の間隔は、チョークのある帯域の共振周波数の最高周波数を増加させ又は低減させるために変更されてよい。環状要素９０３は、厚さ１００６であって、環状要素９０３を取り扱うことを可能にし、環状要素９０３をチョークのスロット、キャビティ、又は凹部の底部の中に挿入することを容易にするための厚さ１００６を有してよい。環状要素９０３の幅１０１０は、近似的に、チョークキャビティ９０６の幅である。
【００３０】
[0039] 上記は本原理の実施形態を対象としているが、本原理の基本的な範囲から逸脱することなしに、本原理の他の実施形態及び更なる実施形態が考案され得る。
【図１】
2021521598.tif 000003
【図２】
2021521598.tif 000004
【図３】
2021521598.tif 000005
【図４】
2021521598.tif 000006
【図５】
2021521598.tif 000007
【図６】
2021521598.tif 000008
【図７】
2021521598.tif 000009
【図８】
2021521598.tif 000010
【図９】
2021521598.tif 000011
【図１０】
2021521598.tif 000012
【国際調査報告】
2021521598.tif 000013
2021521598.tif 000014